(57)【特許請求の範囲】
【請求項１】
筒状を成すマスの周壁の上下位置にそれぞれ複数の接続口を形成し、各接続口には横方向に延びる通水管をそれぞれ接続し、下部の通水管の周壁にはその長さ方向に沿って複数個の小孔から成る排水孔を透設した雨水マスシステムにおいて、
排水孔がマスから遠ざかるのに従って下部に位置する雨水マスシステム。
【請求項２】
筒状を成すマスの周壁の上下位置にそれぞれ複数の接続口を形成し、各接続口には横方向に延びる通水管をそれぞれ接続した雨水マスシステムにおいて、
前記通水管の代わりにキャップ、金網もしくはメッシュ状のキャップが接続できる雨水マスシステム。
【発明の詳細な説明】
【０００１】
【発明の属する技術分野】
この発明は、雨水等を集めて排水するための雨水マスシステム関するものである。
【０００２】
【従来の技術】
近年、地下水保全のために、雨水を雨水マスから地中へ浸透させるようにしている。そして、浸透させることができなかった分を排水溝へ排水させるようにしている。
【０００３】
【発明が解決しようとする課題】
しかしながら、従来は雨水マスの部分のみから地中へ浸透させるようにしているため、浸透量が少なくて、地下水保全の目的を充分に達し得ないばかりでなく、排水溝へ排水する量が多くなって、排水溝はあふれ易くなり、浸水被害が生じることがしばしばあった。
【０００４】
本発明は上記問題点を解決するためになされたものであって、その目的は、地中へ浸透される雨水の量を増やす雨水マスシステムを提供することにある。
【０００５】
【課題を解決するための手段】
上記の目的を達成するために、請求項１に記載の発明は、筒状を成すマスの周壁の上下位置にそれぞれ複数の接続口を形成し、各接続口には横方向に延びる通水管をそれぞれ接続し、下部の通水管の周壁にはその長さ方向に沿って複数個の小孔から成る排水孔を透設した雨水マスシステムにおいて、排水孔がマスから遠ざかるのに従って下部に位置することをその要旨とする。これにより、雨水をマスから離れた地中へ浸透させることができる。
【０００６】
請求項２に記載の発明は、筒状を成すマスの周壁の上下位置にそれぞれ複数の接続口を形成し、各接続口には横方向に延びる通水管をそれぞれ接続した雨水マスシステムにおいて、前記通水管の代わりにキャップ、金網もしくはメッシュ状のキャップが接続できることをその要旨とする。
【０００７】
尚、以下に述べる発明の実施形態において、特許請求の範囲または課題を解決するための手段に記載の「マス」は雨水マスに対応する。
【０００８】
【発明の実施の形態】
以下、本発明を具体化した一実施形態を図１〜図３に従って説明する。
雨水マスシステム１は、雨水マス２，ソケット３，上部通水管４，下部通水管５から構成されている。
【０００９】
図１に示す雨水マス２は、マス本体６，継手７，蓋受け８，蓋９，底板１０，金網１１，ごみ受け用ザル１２から構成され、マス本体６，継手７，蓋受け８，蓋９，底板１０は合成樹脂により形成されている。
【００１０】
マス本体６は、上端口１３と下端口１４を有した略円筒形状を成している。マス本体６の上下方向の中央部にはくびれ部１５が形成されている。くびれ部１５の上部には上部通水管接合部１６が設けられ、下部には下部通水管接合部１７が設けられている。
【００１１】
マス本体６の上端口１３には継手７及び蓋受け８を介して蓋９が取り付けられている。蓋９は複数個の蓋孔９ａを有している。
マス本体６の下端口１４には底板１０が取り付けられている。底板１０は複数個の底孔１０ａを有している。
【００１２】
前記上部通水管接合部１６の対向する２箇所には、円筒形状を成した上部通水管接合口１８が突設されている。各上部通水管接合口１８には、合成樹脂製のソケット３を介して上部通水管４がそれぞれ嵌合されている。
【００１３】
図１においては、上部通水管接合口１８を２箇所に設けた例が示されているが、前述のように、この上部通水管接合口１８は上部通水管４を接続するものである。そして、図２から明らかなように、マス本体６には上部通水管４が２本または３本接続されることが多い。場合によっては、上部通水管４が１本または４本ということもある。よって、雨水マス２として、上部通水管接合口１８が１〜４箇所に備えられたマス本体６がそれぞれ用意される。
【００１４】
マス本体６の下部通水管接合部１７の４箇所には、等間隔をおいて円筒形状を成した導出口１９が突設されている。
上部通水管接合口１８と上下に対応する２個の導出口１９には、ソケット３を介してそれぞれ下部通水管５が嵌合されている。下部通水管５が接続されていない２個の導出口１９にはそれぞれ金網１１が取り付けられている。導出口１９に下部通水管５が接続されるか、金網１１が取り付けられるかは、任意に決められる。
【００１５】
下部通水管５の周壁には小孔よりなる複数個の排水孔２０が透設されている。雨水マス２に接合される下部通水管５の端部付近では上部に排水孔２０ｃが透設されている。下部通水管５の端部から少し離れた位置では排水孔２０ｃより少し低い位置に排水孔２０ｂが透設されている。更に、下部通水管５の端部から離れた位置では排水孔２０ｂより更に低い位置に排水孔２０ａが透設されている。
【００１６】
雨水マス２の内部には金属製のごみ受け用ザル１２が備え付けられている。ごみ受け用ザル１２は縁部１２ａと取手１２ｂとを有している。ごみ受け用ザル１２は、縁部１２ａをマス本体６のくびれ部１５に乗せられている。
【００１７】
次に、雨水マスシステム１の設置について説明する。図２に示すように、建物２２の周辺の地中２１へ複数個の雨水マス２を埋設する。雨水マス２は蓋９が地面に露出する深さに埋設する。一部の雨水マス２の上部通水管接合部１６には上部通水管接合口１８と同一高さ位置に接合口（図示しない）が設けられ、その接合口には建物２２の屋根に設けられた樋２２ａから延びる雨水導入管２２ｂが接続される。
【００１８】
埋設された各雨水マス２をソケット３を介して各通水管４，５を用いて地中２１で接続する。上部通水管４の終端部は敷地外の排水溝２３に接続される。下部通水管５は複数の雨水マス２を介して環状に接続される。水はけを向上させるため、下部通水管５の周囲には砕石２４を敷き詰める。
【００１９】
続いて、前記のように構成された雨水マスシステム１の作用について説明する。建物２２の屋根に設けられた樋２２ａによって集められた雨水は、雨水道入管２２ｂを介して雨水マス２の上部通水管接合部１６に流れ込む。上部通水管接合部１６に流れ込んだ雨水はくびれ部１５に備え付けられたごみ受け用ザル１２を通って下部通水管接合部１７に流れ落ちる。このとき、雨水に混入していた小石、木の葉等のごみは、ごみ受け用ザル１２によって取り除かれる。ごみ受け用ザル１２で受け止められたごみは雨水マス２の蓋９を開け、ごみ受け用ザル１２を取り外すことにより容易に取り除くことができる。
【００２０】
下部通水管接合部１７に流れ落ちた雨水は、下端口１４に取り付けられた底板１０の底孔１０ａから地中２１へ浸透される。また、金網１１が取り付けられている導出口１９からも地中２１へ浸透される。
【００２１】
さらに、雨水は、下部通水管接合部１７内に溜まり、下部通水管５に流れ込む。下部通水管５に流れ込んだ雨水は、排水孔２０から地中２１へ浸透される。さらに、雨水は下部通水管５によって接続された他の雨水マス２へ流れ込み、他の雨水マス２の底孔１０ａと下部通水管５の排水孔２０から地中２１へ浸透される。このように、雨水は敷地全体において地中２１へ浸透される。
【００２２】
雨水の量が多い場合は、下部通水管５の内部の雨水の水位が上昇され、排水孔２０ａより高い位置の排水孔２０ｂや、排水孔２０ｃから排出されて、地中２１に浸透される。高いところに位置している排水孔２０ｂ，２０ｃほど雨水マス２に近い位置に透設されている。このように、雨水の下部通水管５から地中２１への浸透はマス本体６から離れたところから順に行われる。
【００２３】
雨水の量が多いために、水位が上部通水管接合部１６まで達した場合、その雨水は上部通水管４へ流れ込み、上部通水管４から雨水マス２を介して排水溝２３へ流れ込み、排水される。
【００２４】
このように、本実施形態によれば、以下の作用及び効果を得ることができる。
・雨水マス２に排水孔２０を透設した下部通水管５を設けたことにより、雨水量が多少多くても、その雨水を地中２１へ確実に浸透させることができる。従って、地下水保全に有効であるとともに、雨水が排水溝からあふれるおそれを少なくすることができる。
【００２５】
・雨水マス２から離れた排水孔２０ほど低いところに位置していることにより、雨水は雨水マス２より離れたところから順に浸透される。従って、雨水の浸透域が広くなり、その浸透を確実に行うことができる。
【００２６】
尚、上記本実施形態は以下のように変更してもよく、その場合でも同様の作用及び効果を得ることができる。
・マス本体６の導出口１９を１〜３箇所にそれぞれ開口した複数種類のマスを用意する。
【００２７】
このようにすれば、雨水排水システム１の下部通水管５の分岐態様を実現することができる。
・マス本体６のくびれ部１５にごみ受け用ザル１２の代わりに小孔付きバスケットを備え付ける。
【００２８】
このようにすれば、ごみ受け用ザル１２では受けることの出来ない小さなごみが下部通水管５に流れ込むことによって排水孔２０が詰まることを防ぐことができる。また、バスケットの脱着が可能なため、溜まったごみの掃除を容易にすることができる。
【００２９】
・上部通水管接合部１６に上部通水管接続口１８を封じるキャップが接続できるようにする。
このようにすれば、上部通水管４の配設の自由度を向上させることができる。
【００３０】
・下部通水管接続口１９にメッシュ状のキャップを接続できるようにする。
このようにすれば、下部通水管接合口１９へ金網１１よりも容易に勘合させることができる。
【００３１】
【発明の効果】
請求項１に記載の発明によれば、排水孔を有する下部通水管を設けたことにより、地中へ浸透させる雨水の量を増やすことができ、浸水被害を減少させることができる。
【００３２】
また、下部通水管に透設される排水孔の透設位置を雨水マスから遠ざかるに従って低くすることにより、雨水を広い範囲にわたって地中に浸透させることができる。
【００３３】
請求項２に記載の発明によれば、通水管の代わりにキャップや、金網、メッシュ状のキャップを接続可能にしたことにより、雨水マスシステムの配設の自由度を向上させることができる。
【図面の簡単な説明】
【図１】一実施形態の分解斜視図。
【図２】一実施形態の設置状態の平面図。
【図３】一実施形態の断面図。
【符号の説明】
１…雨水マスシステム、２…マスとしての雨水マス、４…上部通水管、５…下部通水管、２０…排水孔。
【図１】
0003871397.tif 000002
【図２】
0003871397.tif 000003
【図３】
0003871397.tif 000004